Podtech/llm-jp-corpus-v4-ja_patent huggingface dataset:
(57)【要約】【課題】マイクロ波を利用した放電ランプは放電開始が困難であり、放電開始のための特別な装置や制御を設けると、装置の大型化・高コスト化につながる。【解決手段】放電容器内２に一対の電極４ａ、４ｂが配置され、前記放電容器内２の前記電極間が接続可能となる量の水銀を封入したことを特徴とする、マイクロ波により点灯する放電ランプ１において、上記構造より、両電極間（４ａ、４ｂ）を水銀で短絡した状態でマイクロ波を供給することにより、パルス電圧など放電開始のための特別な装置や制御を必要とすることなく、放電開始することが可能である。また、前記放電容器２の内表面積に対する点灯電力を３００Ｗ／ｃｍ２以下としたことを特徴とするマイクロ波により点灯する放電ランプ１において、上記構成により、点灯中の放電容器内２の水銀圧力の上昇による放電容器２の破裂を抑えることが可能である。【選択図】図１
2010176883.tif 000002
【特許請求の範囲】
【請求項１】
放電容器内に一対の電極が配置され、マイクロ波により点灯する放電ランプにおいて、前記放電容器内の前記電極間が接続可能となる量の水銀を封入したことを特徴とするマイクロ波放電ランプ。
【請求項２】
放電容器内に一対の電極が配置され、マイクロ波により点灯する放電ランプにおいて、前記一対の電極間の最短距離をＬ（ｍｍ）とし、前記放電容器内に封入する水銀をＭ（ｍｇ）としたとき、次式を満たすことを特徴とする特徴とするマイクロ波放電ランプ。
2010176883.tif 000005
【請求項３】
請求項１または２記載のマイクロ波放電ランプにおいて、前記放電容器の内表面積に対する点灯電力を３００Ｗ／ｃｍ２以下としたことを特徴とするマイクロ波放電ランプ。
【発明の詳細な説明】
【技術分野】
【０００１】
本発明はマイクロ波を利用して点灯する放電ランプに関する。
【背景技術】
【０００２】
近年、高圧放電ランプは高効率・高演色という特性からハロゲンランプに代わり、一般照明だけでなく、自動車用の前照灯やプロジェクタ用のバックライトとして、需要が高まっている。
【０００３】
また、最近では発光空間内に電極を設けた放電ランプにマイクロ波エネルギーを供給し点灯させることにより、電極間放電による点光源状態を維持しつつ、高効率化や長寿命化を図った放電ランプが提案されている。（特許文献１・２）
【０００４】
しかしながら、このようなマイクロ波を利用した放電ランプの放電開始は一般的に困難である。
【０００５】
マイクロ波を利用しない放電ランプにおいては、点灯電源からパルス電圧を両電極間に加え絶縁破壊させ、放電開始を容易にしているが、マイクロ波を利用した放電ランプにおいては、回路の構成上パルス電圧を放電ランプに加えることは困難である。
【０００６】
また、放電開始を補助するために紫外線源などの始動補助光源を使用する場合があるが、始動補助光源用の電源やタイミング回路等が必要になってしまうため、装置の大型化・高コスト化に繋がってしまう。
【先行技術文献】
【特許文献】
【０００７】
【特許文献１】特開２００２−７５２９０号公報
【特許文献２】特開２００７−１１５５３４号公報
【発明の概要】
【発明が解決しようとする課題】
【０００８】
そこで本発明は、マイクロ波を利用して点灯する放電ランプにおいて、放電開始のための特別な装置や制御を必要とすることなく、容易に放電開始させることを目的とする。
【課題を解決するための手段】
【０００９】
この課題を解決するために、本発明の請求項１記載の放電ランプは、放電容器内に一対の電極が配置され、マイクロ波により点灯する放電ランプにおいて、前記放電容器内の前記電極間が接続可能となる量の水銀を封入したことを特徴とする。
上記構成により、両電極間を水銀で短絡した状態でマイクロ波を供給することにより、パルス電圧など放電開始のための特別な装置や制御を必要とすることなく、放電開始することが可能である。
【００１０】
また本発明の請求項２記載の放電ランプは、一対の電極間の最短距離をＬ（ｍｍ）とし、放電容器内に封入する水銀をＭ（ｍｇ）としたとき、次式を満たすことを特徴とする。
2010176883.tif 000003
【００１１】
また本発明の請求項３記載の放電ランプは、前記放電容器の内表面積に対する点灯電力を３００Ｗ／ｃｍ２以下としたことを特徴とする。
上記構成により、点灯中の放電容器内の水銀圧力の上昇による放電容器の破裂を抑えることが可能である。
【発明の効果】
【００１２】
上記構成により、放電容器内に設けた一対の電極が短絡する量の水銀を封入しマイクロ波を供給することにより、容易に放電開始することが可能になる。
【図面の簡単な説明】
【００１３】
【図１】本発明に係るマイクロ波放電ランプを示す図である。
【発明を実施するための形態】
【００１４】
以下、本発明のマイクロ波放電ランプの実施の形態について詳細に説明する。
尚、本明細書におけるマイクロ波とは周波数が３００ＭＨｚから３００ＧＨｚの電磁波を指す。
【００１５】
図１は本発明に係るマイクロ波放電ランプの一例における構成を示す概略図である。
放電ランプ１は放電容器２内に一対の電極４ａ、４ｂが最短距離０．６ｍｍで設置されており、放電容器２の内容積は０．０１６ｃｃ、内表面積は０．０３４ｃｍ２である。
放電容器２内には水銀３とアルゴンガスと少量のハロゲンが封入されており、水銀３の重量は４ｍｇである。
一対の電極４ａ、４ｂにはモリブデン箔５ａ，５ｂが接続され、モリブデン箔５ａ，５ｂにはリード線６ａ，６ｂが接続され、一方のリード線６ａはマイクロ波同軸線７の中心導体８に接続され、マイクロ波が供給される構成となっている。
【００１６】
４ｍｇの水銀は、球体とするとその直径は約０．８３ｍｍであり、電極間の最短距離は０．６ｍｍであるので、このとき電極に付着した水銀は両電極間を短絡させる。この状態のときに、マイクロ波を供給すると、パルス電圧などをかけることなく放電が開始する。
【００１７】
ただし、水銀により両電極間が短絡された状態でマイクロ波を供給した時、放電が開始するメカニズムは正確には分かっていない。
【００１８】
放電ランプ１をマイクロ波電力８０Ｗで点灯させると、封入した水銀のほぼ全量が蒸発し、内部の水銀蒸気圧が上昇し連続スペクトルが得られる。また放電ランプ１電極間距離は０．６ｍｍであるので、プロジェクタ用光源として望まれる点光源を得ることができる。
【００１９】
尚、水銀短絡する条件は最低でも電極間の最短距離Ｌ（ｍｍ）に対して、次式を満たす水銀量Ｍ（ｍｇ）が必要となる。
2010176883.tif 000004
【００２０】
水銀により両電極間を短絡させることができれば、封入する水銀量に上限はないが、定常点灯時にはほぼ全量の水銀が蒸発していることが望ましい。
【００２１】
尚、放電容器の内表面積に対する点灯電力（管壁負荷）が３００Ｗ／ｃｍ２を越えると、水銀圧力の上昇による放電容器の破裂などの不具合が発生するため好ましくない。
【符号の説明】
【００２２】
１：放電ランプ
２：放電容器
３：水銀
４ａ、４ｂ：電極
５ａ、５ｂ：モリブデン箔
６ａ、６ｂ：リード線
７：マイクロ波同軸線
８：マイクロ波同軸線の中心導体
【図１】
2010176883.tif 000006
(57)【要約】【課題】効率良く微粒子を捕集する、サイクロン集塵装置を提供する。【解決手段】サイクロン内部の旋回気流を上昇旋回気流０２とし、上部ダスト捕集部０３に水を封入し、噴射ノズル０７で水を泡立て微粒子を水中に固着させ、更に、サイクロン出口０４の先端に取付けたパンチング鋼板０８を下部ダスト捕集部０５内に封入した水中内に噴射させ微粒子を捕集することを特徴としている。【選択図】図１
2010131534.tif 000002
【特許請求の範囲】
【請求項１】
サイクロン内部の旋回流を、上昇気流にすることを特徴とするサイクロン集塵装置。
【請求項２】
前記サイクロンは、ダスト捕集部を上部に設置することを特徴とする請求項１記載のサイクロン集塵装置。
【請求項３】
前記サイクロンのダスト捕集部に、水を封入し水中に空気を噴射して、ダスト捕集部内の水を泡立てることを特徴とする請求項１または、請求項２に記載のサイクロン集塵装置。
【請求項４】
前記サイクロンの出口部に、パンチングされた鋼板を取り付け、下部ダスト捕集部に水を封入しパンチング鋼板部を水中に挿入し水を泡立てることを特徴とする請求項１または、請求項２、請求項３に記載のサイクロン集塵装置。
【発明の詳細な説明】
【技術分野】
【０００１】
この発明は、集塵装置に関する。
【背景技術】
【０００２】
従来のサイクロン集塵装置の形状は、図２に示す様に、出口が上部に設置され内部の旋回気流は、下降気流となりダストは、最下部に設けられたダストボックスに捕集されるものである。
【発明の開示】
【発明が解決しようとする課題】
【０００３】
しかしながら、以上の技術によれば、微粒子においては、集塵効率が良くなかった。
そこで、この発明は、従来のサイクロン集塵装置より効率良く微粒子を捕集するサイクロン集塵装置を提供することを課題とする。
【課題を解決するための手段】
【０００４】
以上の課題を解決するために、第一発明は、サイクロン内部の気流を上昇旋回気流にしたことを特徴とするサイクロン集塵装置である。
第二発明は、ダスト捕集部を上部に設置することを特徴とするサイクロン集塵装置である。
第三発明は、ダスト捕集部に水を封入し、水中に空気を噴射して、ダスト捕集部内の水を泡立てることを特徴とするサイクロン集塵装置である。
第四発明は、サイクロンの出口部に、パンチングされた鋼板を取付け水中に挿入し水を泡立てることを特徴とするサイクロン集塵装置である。
【発明の効果】
【０００５】
第一発明または、第二発明によれば、旋回流を上昇気流にし、ダスト捕集部を上部に設置することにより、微粒子を効率良く集塵できる。
第三発明では、集塵された微粒子を泡立てられた水に接触させ、再飛散を防ぐことができる。
第四発明では、サイクロン内部に補修されなかった微粒子を、水に接触させ取り除くことができる。
【発明を実施するための最良の形態】
【０００６】
この発明の一実施形態を、図１に示す。
含塵気流は、サイクロン入口部０１から流入し上昇旋回流０２により上部ダスト捕集部０３に補修される。上部ダスト捕集部０３に補修されずに、サイクロン出口部０４に巻き込まれた粒子は、下部ダスト捕集部０５で捕集され、出口０６から排出される。
上部ダスト捕集部０３には、水を封入し、噴射ノズル０７によって空気を取入れ、上部ダスト捕集部０３内に封入された水中に噴射することにより、水を泡立て捕集塵埃との接触面積を広げることにより捕集効率を向上させ、再飛散を防止する。
下部ダスト捕集部０５には、水を封入し、サイクロン出口部０４の先端に取付けたパンチング鋼板０８を水中に挿入し噴射させダストを捕集する。
【０００７】
「実施形態の効果」
この実施形態によれば、微粒子は、旋回上昇気流に巻き込まれ易く微粒子を効率良く捕集することができる。
また、捕集されたダストは、水中に固着し再飛散を防止することもできる。
【０００８】
「他の実施形態」
図１の実施形態では、上部ダスト捕集部０３、下部ダスト捕集部０５内には、水を封入したが、他の実施形態では、その他の液体でも良い。
また、上部ダスト捕集部０３に取付けられた、噴射ノズル０７から空気を噴射させているが、他の実施形態では、その他の気体でも良い。
【図面の簡単な説明】
【０００９】
【図１】この発明の一実施形態を示す断面図である。
【図２】従来技術を示す断面図である。
【符号の説明】
【００１０】
０１  サイクロン入口部
０２  上昇旋回気流  
０３  上部ダスト捕集部
０４  サイクロン出口部
０５  下部ダスト捕集部
０６  出口
０７  噴射ノズル
０８  パンチング鋼板
０９  サイクロン
【図１】
2010131534.tif 000003
【図２】
2010131534.tif 000004
(57)【要約】      （修正有）【課題】どんな体形の人のつぼにも直接当たることができ、やわらかいつぼの刺激なので、皮膚の弱い人にも長時間使用するには大変便利である。又就寝中に腰のしたに敷いて眠ると、足がつったりすることなく快眠できる効果がある。また、頭部に取付けた場合電気石とセラミックの効果により、遠赤外線の効果とマイナスイオンの発生により、細胞を活性化させ、脱毛予防を促す効果がある。【解決手段】つぼをやわらかく刺激し長時間の窮屈な姿勢で、腰などを痛めないようにシート本体２に電気石とセラミックを混練りし、つぼをしげきする突起物３にも電気石とセラミックを混練りしたシートの上面に、直径が１〜４ｍｍで長さが５〜２０ｍｍの突起物を１ｃｍ２内に１〜６個設けたことを特徴とするつぼ押しシートを腰に巻きつけることにより、シートがずれても、つぼからはずれることのないシートを取付けることにより、効果が発揮できるつぼ押しシートである。【選択図】図２
2010131351.tif 000002
【特許請求の範囲】
【請求項１】
シートの上面に、直径が１〜４ｍｍで長さが５〜２０ｍｍの突起物を１ｃｍ２内に１〜６個設けたことを特徴とするつぼ押しシート。
【請求項２】
請求項１記載のつぼ押しシートの中に電気石とセラミックを混練りしたことを特徴とするつぼ押しシートで。
【請求項３】
請求項１及び２のいずれか１項に記載のつぼ押しにおいて、前記の突起物の先端を平型にしたことを特徴とするつぼ押しシート。
【請求項４】
請求項１及び２〜３のいずれか１項に記載のつぼ押しシートにおいて、突起物と突起物の間に空気穴を設けたことを特徴とするつぼ押しシート。
【発明の詳細な説明】
【技術分野】
【０００１】  腰背部のつぼをやわらかく刺激し、長時間の運転や、イスに座って作業する時に腰痛やぎっくり腰の予防になるつぼ押しシート。シートに電気石とセラミックを混練りし、遠赤外線効果とマイナスイオンの発生により睡眠の時に腰の下に敷いて眠ると足がつったりしなくなり、快眠できる。また頭部へ取付け脱毛予防効果も発揮させることができる。
【背景技術】
【０００２】  これまで、つぼを刺激するためにサポーターに金属を埋め込んだものがあったが、つぼの真上に当たればいいが、ずれるとつぼの効果が無く、常につぼに当たるように注意し、ずれた場合いちいち直さなければいけないので、取付け取外しが不便であった。
【特許文献】  特開２００１−３４０４７１
【発明の開示】
【発明が解決しようとする課題】
【０００３】  上記したサポーターを取付けて使用する場合、次のような問題点があった。【０００４】  つぼの位置も個人差があり皆んな同じ場所にあるわけではないので、サポーターに付いてる金属つぼを移動することは難しく、つぼの真上に金属つぼが当たらない人には効果が無く、又動くことでつぼからズレた場合取付け取外しが不便であった。
【課題を解決するための手段】
【０００５】  このような不具合を解消するために、材質は特に問わないが一例として、シリコンゴムを用いこのシート上面に一体化したシリコンゴムで、直径が１〜４ｍｍで長さが５〜２０ｍｍの突起物を１ｃｍ２内に１〜６個設けた突起物のあるシートであるので、どんな体形の人にでも関係なくつぼに当たることができ、金属つぼでないので強い刺激でなく、電気石とセラミックを混練りしているので、やわらかい刺激を体に与える事が出来長時間の運転や、イスに長時間座り続ける人に、筋肉の緊張をほぐし腰痛や、ぎっくり腰の予防になるつぼ押しシートである。すなはち、請求項１ではシートの上面に、直径が１〜４ｍｍで長さが５〜２０ｍｍの突起物を１ｃｍ２内に１〜６個設けたことを特徴とするつぼ押しシート。シートの上面に一体化した突起物の直径が１〜４ｍｍとする理由は、１ｍｍ未満だと細すぎて効果が期待できない。又４ｍｍ超だと大き過ぎて痛く感じられて不適合。そして長さが５〜２０ｍｍとする理由は、５ｍｍ未満だと皮膚との隙間が少なくなり通気性が悪い。又２０ｍｍ超だと長すぎて押える力が弱まりつぼ押し効果が期待できない。以上の問題があるので、直径が１〜４ｍｍ、長さが５〜２０ｍｍの突起物を１ｃｍ２内に１〜６個設けたことを特徴とする突起物のあるシートである。
請求項２では請求項１記載のつぼ押しシートの中に電気石とセラミックを混練りしたことを特徴とするつぼ押しシートでシートの中に、電気石とセラミックを混練りにより、遠赤外線効果とマイナスイオンの発生により細胞を活性化する働きをする突起物のあるシートである。また、電気石とセラミックは突起物にも混練りしても良い。請求項３では請求項１及び２のいずれか１項に記載のつぼ押しにおいて、前記の突起物の先端を平型にしたことを特徴とするつぼ押しシート。
で平型にした突起物のあるシートである。請求項４では請求項１及び２〜３のいずれか１項に記載のつぼ押しシートにおいて、突起物と突起物の間に空気穴を設けたことを特徴とするつぼ押しシート。空気穴については頭に取付ける場合、被り物に取付けるので、蒸れを防ぐために空気穴を設けた突起物のあるシートである。
【発明の効果】
【０００６】  つぼ付きのサポーターを着用した場合、金属つぼがつぼに当たらない場合は、効果が無く、又動いてずれた場合取付取外しが不便であった。又、金属つぼの刺激が強過ぎて、皮膚の弱い人向きではなかった。そんな悩みを解決するためにシリコンゴムのシート上面に一体化したシリコンゴムで、直径が１〜４ｍｍで長さが５〜２０ｍｍの突起物を１ｃｍ２内に１〜６個設けた。さらに、シリコンゴムに電気石とセラミックを混練りした突起物のあるシリコンゴムシートである。なので、どんな体形の人のつぼにも直接当たることができる。やわらかいつぼの刺激なので、皮膚の弱い人にも長時間使用するには大変便利である。又就寝中に腰のしたに敷いて眠ると、足がつったりすることなく快眠できる効果がある。また、頭部に取付けた場合電気石とセラミックの効果により、遠赤外線の効果とマイナスイオンの発生により、細胞を活性化させ、脱毛予防を促す効果がある。
【発明を実施するための最良の形態】
【０００７】  以下、本発明の実施の形態について図に則して説明する。
まず、図１の電気石とセラミックを混練りしたシート（２）に直径２ｍｍ長さ１２ｍｍの電気石とセラミックが混練りした突起物（３）が設けてあり、突起物と突起物の間に空気穴（４）を設けたつぼ押しシート（１）の側面図である。
図２は、図１の電気石とセラミックを混練りしたシート（２）に直径２ｍｍ長さ１２ｍｍの電気石とセラミックが混練りした突起物（３）が設けてあり、突起物と突起物の間に空気穴（４）を設けたつぼ押しシート（１）の平面図である。
又、（４）の空気穴を設けなくても使用できる。
なおこのつぼ押しシートは本発明者による既出願（出願番号２００８−１８０７１９）に記載のヘルメット内側へ脱毛効果発揮のために適用することもできる。
【図面の簡単な説明】
【０００９】
【図１】つぼ押しシートの側面図
【図２】つぼ押しシートの平面図
【符号の説明】
【００１０】１．シートと突起物が一体化したつぼ押しシート。
２．電気石とセラミックを混練りしたシート。
３．突起物。
４．突起物と突起物の間の空気穴。
【図１】
2010131351.tif 000003
【図２】
2010131351.tif 000004
(57)【要約】      （修正有）【課題】衛生的で恒久性のある箸及び箸置きの提供。【解決手段】各種金属又は合金を用いて箸及び箸置きを製造する。【選択図】図２
2010131339.tif 000002
【特許請求の範囲】
【請求項１】
不衛生な木製や竹製の箸にかえて恒久的に使用できる金属製のｍｙ箸と家庭用から業務用までの金属製の箸のすべて。それに付随した金属製の箸置きセット。
【請求項２】
スプーンやホークなどに用いられていると同じ合金や各種合金、ステンレス、金、銀、チタン、アルミなど有効なすべての金属をふくむ金属製のｍｙ箸および箸置きセット。家庭用から業務用に用いるすべての金属製の箸と箸置きセット。箸および箸置きはセットとしても単体としても使用できる。
【請求項３】
子ども用、大人用、業務用、天ぷら用のなが箸などを含めたすべての金属製の箸および箸置きセット。
【請求項４】
高級な箸については名入れやイニシャルを入れることも可能。
【発明の詳細な説明】
【技術分野】
【０００１】  本製品は不衛生な木製および竹製の箸にかえ衛生的で恒久性のある金属製のｍｙ箸および家庭用から業務用まで含めて衛生的で恒久性のある金属製の箸に転換するものです。
【背景技術】
【０００２】  現在使用されている木製および竹製の箸は不衛生であり薬剤の心配があり耐久性もなく浸透性があることによって雑菌やカビなどが繁殖するおそれがある。
【発明の開示】
【発明が解決しようとする課題】
【０００３】  個人用のｍｙ箸から家庭用としても業務用としても衛生面で改善され恒久性があることによって森林や竹林の保護にもつながる。【０００４】  世界的にも箸は普及しつつあり衛生的で恒久性があり便利な箸として箸があまり普及していない地域にも衛生的で恒久性のある金属製の箸として提供してゆける。
【課題を解決するための手段】
【０００５】  金属製の箸を制作できる会社とそれを販売してゆける会社が必要である。
【発明の効果】
【０００６】  衛生的であり恒久性があり森林や竹林の保護に役立つ。【０００７】  普及性があり個人用から家庭用から業務用から世界にむけて箸の文化をひろげてゆける。
【発明を実施するための最良の形態】
【０００８】  形態は木製などとかわらないが金属製であるため箸先と持ち手に滑り止めが必要である。
【産業上の利用の可能性】
【０００９】  サービス産業の料理店、レストラン、飲食店、ホテルなどで割り箸などが不要になり当初の設備費は早急に回収され、衛生面でお客さんに喜んでもらえる。
【図面の簡単な説明】
【図１】  箸先と持ち手の２か所に滑り止めをつける。
【図２】  箸置きは箸の寸法に合わせ両方が一緒に持ちはこびできるようにする。
【図１】
2010131339.tif 000003
【図２】
2010131339.tif 000004
(57)【要約】【課題】  従来、洗濯した衣類や、収納する衣類を体裁良くたたもうとする時、経験や感覚でたたんでいたが、複数のたたむ衣類の大きさが不揃いになっていた。以上の問題を衣類たたみ板を提供する。【解決手段】  衣類の大きさに合わせて型板に入っている挿入板をスライドし面ファスナーで固定し、衣類の上にたたみあて板をあて、板の大きさに沿ってたたむ。以上の構成よりなる衣類たたみあて板。【選択図】図１
2010131336.tif 000002
【特許請求の範囲】
【請求項１】
長方形状の同形同大からなる表板と裏板を重合して一辺を開口部とし内部を空洞にした型板と、型板よりやや小さめの長方形の挿入板からなり、挿入板を型板の開口部から挿入自在とする。以上よりなる衣類たたみ板。
【発明の詳細な説明】
【技術分野】
【０００１】  本発明は、衣類を簡単にきれいにたたむ際に使用する衣類たたみ板に関するものである。
【背景技術】
【０００２】  大きさの違う衣類をたたむ際に経験や感覚で大きさを分けてたたむ方法がある。
また、衣類たたみ機として特許文献１が知られている。
【特許文献１】特開２００７−２５２８４５  公報
【発明の開示】
【発明が解決しようとする課題】
【０００３】  経験や感覚で衣類をたたもうとすると型が崩れたり、大きさが違ってしまい収納の際、不揃いになってしまっていた。
本発明は、以上の問題点を解決するためになされたものである。
【課題を解決するための手段】
【０００４】  衣類の大きさに合わせて、型板に挿入板をスライドして挿入し面ファスナーで固定する。衣類たたみ板をあて、あて板の大きさに沿ってたたむ。
以上の構成よりなる衣類たたみあて板。
【発明の効果】
【０００５】  従来不揃いにたたんでいた大きさの違う衣類を、本発明により簡単に大きさを揃えきれいに衣類をたたむことができる。
【発明を実施するための最良の形態】
【０００６】  以下、本発明の実施の形態を説明する。
（イ）  型板（１）は、長方形の同形で且つ同じ大きさからなる表板（１ａ）と裏板（１      ｂ）を重合し、一辺を開口し他の三辺を接合して開口した一辺を開口部（３）とし      、内部を空洞にする。
（ロ）  表板（１ａ）の内側の任意の４箇所に面ファスナー雄片（４ｂ）（４ｃ）（５ｂ      ）（５ｃ）を設ける。
（ハ）  型板（１）と同形状で型板（１）よりやや小さくしてなる挿入板（２）を、型板      （１）の開口部（３）より挿入自在に設ける。
（ニ）  挿入板（２）の表面の任意の２箇所に面ファスナー雌片（４ａ）（５ａ）を設け      る。
本発明は以上のような構造である。
本発明を使用するときは、型板（１）の開口部（３）に、挿入板（２）を挿入する。
その際、挿入板（２）に着いている面ファスナー雄片（４ａ）（５ａ）を衣類の大きさに合わせ、面ファスナー雌片（４ｂ）又は（４ｃ）、（５ｂ）又は（５ｃ）に固定する。
大きさを決めて固定したあて板（Ａ）を衣類（Ｂ）にのせ、あて板（Ａ）の大きさに沿ってたたむ。
大きさを合わせてたたんだ衣類はタンスの引き出し等に合わせ整頓し収納することができる
【図面の簡単な説明】
【０００７】
【図１】  本発明の平面図
【図２】  本発明の斜視図
【図３】  本発明の使用状態を示す平面図
【符号の説明】
【０００８】  （１）型板、（２）挿入板、（３）開口部、（４ａ）（５ａ）面ファスナー雌片、
（４ｂ）（４ｃ）（５ｂ）（５ｃ）面ファスナー雄片、（Ａ）あて板、（Ｂ）衣類
【図１】
2010131336.tif 000003
【図２】
2010131336.tif 000004
【図３】
2010131336.tif 000005
(57)【要約】【課題】  軽度の失禁があるため尿吸収パッドの装着が必要な男性が、装着しても目立たず、身軽く行動でき、持運びやパッド交換を簡単便利にした男性用簡易尿吸収パッドを提供する。【解決手段】  パッドは少量の尿を吸収できる厚みとし、サイズを小さくし、持運びを便利にする。入口は大きく開いて容易に簡単に装着出来るようにし、装着したら入口のパッドをたたんでマジックテープでとめることを特徴とした男性用簡易尿吸収パッドである。【選択図】図１
2010131342.tif 000002
【特許請求の範囲】
【請求項１】
泌尿器系の手術後や、加齢による軽度の失禁はあるが日常生活は普通に送れる男性のために、サイズをコンパクトにして携帯に便利で、パッド交換が簡単に出来、取外したパッドの処分にも困らないことを特徴とする男性用簡易尿吸収パッド。
【発明の詳細な説明】
【技術分野】
【０００１】  本発明は、軽度の失禁があるため尿吸収パッドの装着が必要な男性が、装着しても目立たず、身軽く行動でき、持運びやパッド交換を簡単便利にした男性用簡易尿吸収パッドに関するものである。
【背景技術】
【０００２】  従来，男性用尿吸収パッドは、行動を制限された男性を対象としたものであった。
【発明の開示】
【発明が解決しようとする課題】
【０００３】  そのために、次のような問題があった。
（イ）軽度の失禁はあるが、外出や通勤が可能な男性にとって、サイズが大きくてかさばるパッドは、持運びや交換に不便があり、取替えたパッドの処分にも困った。
（ロ）パッドを装着しての外出や通勤の際に目立たず、ズレないようにするのが困難であった。
（ハ）少量の尿漏れがあっても衛生上パッドを取替える必要があり、取替え頻度が少ないと不衛生で臭いの問題も発生する。
本発明は、これらの問題点を解決するためになされたものである。
【課題を解決するための手段】
【０００４】  パッドは軽い尿漏れを吸収できる厚みとし、サイズを小さくし、持運びを便利にする。入口を大きく開いて容易に簡単に装着出来るようにし、装着したら入口のパッドをたたんでマジックテープでとめる。
以上を特徴とした男性用簡易尿吸収パッドである。
【発明の効果】
【０００５】  コンパクトで、装着後に網型パンツかサポーターで押さえておけば安心して日常生活を送ることができる。
パッド交換が簡単容易なため、常に清潔を保つことができる。
持運びや使用済パッドの処分がらくになる。
【発明を実施するための最良の形態】
【０００６】  以下、本発明の実施の形態について説明する。
（イ）本体（１）の先端にむかって緩やかに細くし、先端のコーナー（２）を丸くする。
（ロ）入口部分の下部に丸い切り込み（３）を入れる。
（ハ）両端に鍔を設ける。
（ニ）マジックテープ（５）をつける。
本発明は以上のような構成になっており。
本体（１）は少量の尿を吸収する厚みとし、軽量コンパクトにする、
身体への密着度を高め装着したときの違和感を軽減するために：
・先端に向かって緩やかに細くし、先端のコーナー（２）を丸くする。
・入口部分の下部に丸く切り込み（３）を入れることで装着と密着が容易になる。
・両端に鍔（４）を設けることで装着したパッドの密着度が増し、回り止めになる。
・マジックテープ（５）で包み込む強さを加減できるため安定した装着となる。
包み込み装着として、漏れた尿が直接肌に付着しないようにし不快感を軽減する。
【図面の簡単な説明】
【０００７】
【図１】本発明の装着前の斜視図
【図２】本発明の装着中の斜視図
【符号の説明】
【０００８】  １  パッド本体
２  先端コーナー
３  丸い切り込み
４  両端の鍔
５  マジックテープ
【図１】
2010131342.tif 000003
【図２】
2010131342.tif 000004
(57)【要約】【課題】  本発明は、日常的に、両方向から容易に履くことができ、下肢の筋肉強化などの運動ができるように工夫したもので、サンダル台は、底面を平らにし、それに繋がる前と後に傾斜面を設けた船底様の厚底で、一般のサンダルより長さが短いことを特徴とし、そのサンダル台の上面の両サイド中央付近にベルトを設け、前後対称にした両方向から履けることを特徴とした両方向から履ける健康促進サンダルを提供する。【解決手段】  サンダル台（１）の底面（４）を平らにし、その前後の傾斜面（５ａ）と傾斜面（５ｂ）に先端に向かって細くなる傾斜を設け、上面（３）は、前後左右対称の小判形にし、中央付近に両サイドを繋ぐベルト（２）を設けたことを特徴とした両方向から履ける健康促進サンダル。【選択図】図１
2010131341.tif 000002
【特許請求の範囲】
【請求項１】
（イ）サンダル台（１）の底面（４）を平らにし、その前後の傾斜面（５ａ）と傾斜面（    ５ｂ）に先端に向かって細くなる傾斜を設ける。
（ロ）上面（３）は、前後左右対称の小判形にし、中央付近に両サイドを繋ぐベルト（２    ）を設ける。
以上のように構成された、両方向から履ける健康促進サンダル。
【発明の詳細な説明】
【技術分野】
【０００１】  本発明は、日常的に、両方向から容易に履くことができ、下肢の筋肉強化などの運動ができるように工夫したもので、サンダル台は、底面を平らにし、それに繋がる前と後に傾斜面を設けた船底様の厚底で、一般のサンダルより長さが短いことを特徴とし、そのサンダル台の上面の両サイド中央付近にベルトを設け、前後対称にした両方向から履けることを特徴とした両方向から履ける健康促進サンダルに関するものである。
【背景技術】
【０００２】  従来、両方向から履ける事を特徴としたサンダル。
あるいは、健康を促す事を目的としたサンダルはそれぞれあった。
【先行技術文献】
【特許文献１】  特開２００２−３１５６０３号公報
【特許文献２】  特開２００３−０７９４−１号公報
【発明の開示】
【発明が解決しようとする開示】
【０００３】  そのために次のような問題点があった。
サンダルを両方向から履くことができ、かつ、運動機能をかねそなえた健康促進サンダルは、以前なかった。
本発明は、以上の問題点を解決するためになされたものである。
【課題を解決するための手段】
【０００４】  両方向から履けるために、サンダル台の、両サイド中央付近から、ベルトを両サイドに繋ぐように設ける。
サンダル台の上面は、前後左右対称の小判形とする。
サンダル台の底面は、平らにし、それに繋がる前と後に傾斜をつけた船底様の厚底とし、一般のサンダルより長さを短くする。
本発明は以上のことを特徴とした両方向から履ける健康促進サンダルである。
【発明の効果】
【０００５】  本発明により、向きを変えることなくスムーズに、サンダルを履くことが可能である。
サンダル台の底面を平にすることで、安定感があり、船底様の構造にすることで、前後に揺れる仕組みになり、サイズは一般のサンダルより短いため、履いた際の後部側は、土踏まずの付近に位置され、つま先立ち状態になるので、足の屈伸運動、下半身の筋肉強化運動が、履きながら、または、イスなどに座っていても容易にできる。
その結果、血行を促し、美脚、身体バランスアップ、健康促進に役立つ。
健常者もとより、老人、および病後の筋力回復などリハビリにも利用できる。
【発明を実施するための最良の形態】
【０００６】  以下、本発明の実施の形態について説明する。
（イ）サンダル台（１）の底面（４）を平らにし、その前後の傾斜面（５ａ）と傾斜面（    ５ｂ）に先端に向かって細くなる傾斜を設ける。
サンダル台の底面は、平らにし、それに繋がる前と後に傾斜をつけた船底様の厚底    とし、一般のサンダルより長さを短くする。
（ロ）サンダル台の上面（３）は、前後左右対称の小判形にし、中央付近に両サイドを繋    ぐベルト（２）を設ける。
（ハ）サンダル台（１）は、履いたとき、後部側が土踏まず付近にくる程度の長さにする    。
本発明は以上のような構成である。
本発明を使用するときは、ベルト（２）が足の甲付近に位置し、サンダル台（１）の傾斜面（５ａ）および傾斜面（５ｂ）が、土踏まず付近になるよう履くことで、歩くような足の動作、座っているときにも、前後に足首を屈伸させる運動が可能となり、筋肉強化を日常的に可能にする。
サンダル台（１）の上面（３）と、底面（４）が平らであるため、安定感がある。
【図面の簡単な説明】
【０００７】
【図１】  本発明の斜視図である。
【図２】  本発明の側面図である。
【図３】  本発明の平面図である。
【図４】  本発明の他の実施例を示した斜視図である。
【図５】  本発明の他の実施例を示した側面図である。
【図６】  本発明の他の実施例を示した平面図である。
【符号の説明】
【０００８】    １    サンダル台
２    ベルト
３    上面
４    底面
５ａ  傾斜面
５ｂ  傾斜面
【図１】
2010131341.tif 000003
【図２】
2010131341.tif 000004
【図３】
2010131341.tif 000005
【図４】
2010131341.tif 000006
【図５】
2010131341.tif 000007
【図６】
2010131341.tif 000008
(57)【要約】【課題】腰痛、靴下を履くのに時間の掛かる人など、腰を軽く曲げてこの用具を手に持ち用具の出つ先端の曲つた３本の出つ張り部分で靴下のゴム部分を挟み靴下を下に下げて脱ぐための用具ある。腰を軽く曲げるだけで靴下を脱ぐことが出来るので腰痛の予防にもなります。３本の出つ張り部分にハンカチ等を挟み手の届かない背中等の汗も拭くこともできる。【解決手段】腰を軽く曲げるだけで先端の曲つた３本の出つ張り部分▲１▼で履いた靴下のゴム部分を挟み用具の握り部分▲２▼を持ち下に下げることにより靴下を脱ぐものである。【選択図】図３
2010131348.tif 000002
【特許請求の範囲】
【請求項１】
先端を曲げた３本の出つ張部分▲１▼を設け反対側に腰を曲げずに使える長さの握り易い棒部分▲２▼設ける。
用具を手に持ち靴下の上のゴム部分に先端部分▲１▼で挟み腰を軽く曲げ棒部分▲２▼を下に下げて靴下を脱ぎ易くするための用具である。
また  ▲１▼の部分にハンカチ等を挟み手の届かない背中などの汗を拭くものである。
【発明の詳細な説明】
【技術分野】
【０００１】この発明は、先端の曲つた３本の出つ張り部分を設けて  反対側に握り易く腰を軽く曲げる程度の長さ部分を設け  先端の部分を靴下のゴムのある部分を挟み腰を軽く曲げてこの用具を下に下げて靴下を脱ぐための用具である。
【背景技術】
【０００２】腰が曲がらず、メタボなどで靴下を脱ぐことが不自由な人等に便利あり腰痛予防にもなる。
【発明の開示】
【発明が解決しようとする課題】
【０００３】この用具を手に持ち先端の曲つた３本の出つ張部分を履いた靴下のゴム部分を挟み用具を下に下げる事により軽く腰を曲げるだけで靴下を脱ぐものである。
腰痛、メタボなど靴下が脱ぎつらい人や脱ぐのに時間が掛かる人がふえている。
本発明は以上のような人を救うためのものであると共に腰痛の予防にもなる。
【課題を解決するための手段】
【０００４】履いた靴下を脱ぐために用具▲２▼を持ち靴下のゴム部分と踵部分又はその他の部分との間に先端の曲つた出つ張部分▲１▼で靴下を挟み用具を下に下げることで靴下を脱ぐ用具である。
本発明は以上の構成よりなる靴下を脱ぐための用具である。
【発明の効果】
【０００５】用具を手に持ち先端の曲つた出つ張部分で履いてる靴下のゴム部分を挟み腰を軽く曲げて用具を下に下げる事により靴下を脱ぎ易くするものである。
腰を軽く曲げるだけで腰の負担も軽く腰痛の予防にもなる。
【発明を実施するための最良の形態】
【０００６】以下、本発明を実施するための最良の形態について説明する。
先端の曲つた細い３本の部分（１）を設け  他方に握り易い部分（２）を設け先端部分の二本の間だに履いている靴下のゴム部分に掛けて用具を下に下げることで靴下を脱ぐものである。
この用具を使用する事により腰を軽く曲げるだけで靴下を脱ぎ易くしたものである。
軽く腰を曲げるだけで靴下が脱げるので腰痛の予防にもなるものである。
【図面の簡単な説明】
【０００７】
【図１】  本発明の斜視図である。
【図２】  本発明の断面図である。
【図３】  本発明の用具を靴下のゴム部分に挟んだ斜視図である。
【符号の説明】
【０００８】  １  先端の曲つた細い３本の部分
２  他方に腰を軽く曲げて握り易い程度の長さの部分
【図１】
2010131348.tif 000003
【図２】
2010131348.tif 000004
【図３】
2010131348.tif 000005
(57)【要約】【課題】米とぎ作業は、冬の寒い時期には手が冷たく、手にひびやあかぎれができ憂鬱な作業となり、また、マニキュアをした爪で米をとぐとマニキュアがはがれてしまうこともあるので、水に手を入れずに手の感覚で米をとぐことを実現するためになされたものである。本発明は、冷たい水での米とぎ作業や、マニキュアをしているときに、水に手を入れずに手の感覚で米がとげる家庭用米とぎ具を提供する。【解決手段】水に手を入れることなく、手で米をとぐ感覚そのままに米がとげる形状にした。【選択図】図２
2010131345.tif 000002
【特許請求の範囲】
【請求項１】
片手で握る程度の棒状の取っ手部の下端部に５本の手の指の形状の米とぎ部を設けたことを特徴とする家庭用米とぎ具。
【発明の詳細な説明】
【技術分野】
【０００１】  本発明は、冷たい水での米とぎ作業や、マニキュアをしているときに、水に手を入れずに手の感覚で米がとげる家庭用米とぎ具に関するものである。
【背景技術】
【０００２】  従来、米とぎ作業は、米と水の入った炊飯釜等に手を入れて撹拌することによっておこなわれていた。
【発明の開示】
【発明が解決しようとする課題】
【０００３】  米とぎ作業は、冬の寒い時期には手が冷たく、手にひびやあかぎれができ憂鬱な作業となり、また、マニキュアをした爪で米をとぐとマニキュアがはがれてしまうことあるので、水に手を入れずに手の感覚で米をとぐことを実現するためになされたものである。
本発明は、以上の問題点を解決するためになされたものです。
【課題を解決するための手段】
【０００４】  上記問題点を解決するため本発明は、片手で握る程度の棒状の取っ手部の下端部に５本の手の指の形状の米とぎ部を設けたものである。
【発明の効果】
【０００５】  人間の手の指に似た形状は、手で米をとぐ感覚で米がとげる。
【発明を実施するための最良の形態】
【０００６】以下、本発明の実施の形態を説明する。
米とぎ部（１）の形状は、人間の手に似せた指を持つ、米とぎ部（１）は、取っ手部（２）につながっている。
本発明は以上のような構造である。
本発明を使用するときは、米と水の入った炊飯釜に、取っ手部（２）を手で持ち米とぎ部（１）で、炊飯釜に入った米を回転させながら米をとぐ。
【図面の簡単な説明】
【０００７】
【図１】本発明の斜視図
【図２】本発明の使用状態を示す側面図
【符号の説明】
【０００８】（１）  米とぎ部
（２）  取っ手部
（３）  炊飯釜
（４）  米
（５）  水
【図１】
2010131345.tif 000003
【図２】
2010131345.tif 000004
(57)【要約】【課題】  室内は物干し具が少ないためにカ−テンレ−ルに衣類などをハンガ−に掛け干していたがカ−テン、窓、の開閉が困難で不便であった。衣類が乾き取り込み後、物干し具、物干し竿を収納しなくても室内の雰囲気を壊さない伸縮、格納できる物干し具を提供する。【解決手段】  中空柱本体の後端部に孔を設けた取付板を設け、先端部に係止部を設け、挿入中空柱の後部に係止片を設け、先端部に物干し竿取付凹部を設け、複数の本発明に物干し竿を横設する。【選択図】図１
2010131344.tif 000002
【特許請求の範囲】
【請求項１】
中空柱本体の後端部に孔を設けた取付板を設け、先端に係止部を設け、挿入中空柱の後部に係止片を設け、先端部に凹部を設けたことを特徴とする伸縮、格納できる室内物干し具。
【請求項２】
係止片を中空柱本体の内面壁に設け、係止長孔を挿入中空柱の対向壁に設けた請求項１の伸縮、格納できる室内物干し具。
【請求項３】
竿取付部を設けた蝶番及び平板を中空柱本体及び、挿入中空柱に設けた請求項１又は請求項２の伸縮、格納できる室内物干し具。
【発明の詳細な説明】
【技術分野】
【０００１】  本発明は室内で衣類などを干す場合、カ−テンレ−ル上に常時格納された。物干し具を物干し竿と共に手前に引き出し、使用後はまた押し込み格納できるようにした室内物干し具に関するものである。
【背景技術】
【０００２】  従来、カ−テンレ−ル、部屋の角、鴨居などを利用した物干し具はあった。
【発明の開示】
【発明が解決しようとする課題】
【０００３】  従来より、次のような問題点があった。
（イ）  ハンガ−を用いて衣類などをカ−テンレ−ルに掛け干していたがハンガ−を持ち上げなければ、カ−テンの開閉が困難であつた。窓の開閉も不自由であった。
（ロ）  洗濯物が乾き取り込んだ後、物干し具を収納しなければ室内の雰囲気が悪く見苦しかった。また、物干し具の収納も面倒で不便であった。
（ハ）  干し物などをハンガ−に掛け、鴨居などに掛けていたが少し触れば落下していた。室内は物干し場所が少なく、新しい物干し具が要求されていた。
本発明は、以上の問題点を解決するためになされたものである。
【課題を解決するための手段】
【０００４】  中空柱本体の後端部に孔を設けた取付板を設け、先端部に係止部を設ける。
挿入中空柱の後部に係止片を設け、先端部に竿取付凹部を設ける。所要数の本発明に物干し竿を横設する。
以上の構成よりなる伸縮、格納できる室内物干し具である。
【発明の効果】
【０００５】  本発明は、常時カ−テンレ−ル及びブラケツト上に物干し竿と共に格納してある。使用する時は物干し竿と共に手前に引き出し、物干し竿に衣類などを掛け使用する。衣類が渇き収納後、物干し竿と共に押し込み格納する。物干し具及び物干し竿も一々収納しなくてもカ−テンの上部に格納してあるので隠れ見えにくい、部屋の雰囲気を壊すことはない。また、窓、カ−テンの開閉も自由にできる。
【発明を実施するための最良の形態】
【０００６】    以下、本発明の実施の形態を説明する。
（イ）  方形状の中空柱本体（１）の後端部に窓枠などに固設する孔（３）を設けた取付板（４）を設け、先端に傾斜の係止部（５）を設ける。
また  既存のカ−テンレ−ル、ブラケツト（１１）のビス孔（１２）の対向壁に雌ねじ孔（９）を設ける。
（ロ）  方形状の挿入中空柱（２）が方形状の中空柱本体（１）の先端の傾斜係止部（５）で係止するように後部に折曲係止片（６）を設け、先端部に物干し竿（８）取付凹部（７）を設ける。
本発明は以上のような構造である。
本発明を取り付けるときは
挿入中空柱（２）を中空柱本体（１）の開口部（１０）より挿入する。既存のカーテンレ−ル、ブラケツト（１１）上に所要数の本発明を配設する。中空柱本体（１）の雌ねじ孔（９）とカ−テンレ−ル、ブラケツト（１１）のビス孔（１２）にビス（１３）で載設する。中空柱本体（１）の取付板（４）の孔（３）にネジを用いて窓枠などに固設する。本発明の挿入中空柱（２）を引き出し、物干し竿（８）を物干し竿取付凹部（７）に横設する。
本発明を使用するときは
挿入中空柱（２）に取り付けた物干し竿（８）を手前に引き出し、従来の物干し竿の利用方法と同様に、衣類、タオルなどはハンガ−を用いる事も直接掛けも、できる。物干し竿は自由に取り外しができるので靴下などの数多い物は洗濯挟みを物干し竿に用いて使用する。洗濯物などが渇き取り込み後、ハンガ−を収納し、本発明の物干し具及び物干し竿を押し込み格納する。
本発明の物干し具、物干し竿を一々収納しなくて良い。常時、カ−テンレ−ルの上部に格納するので部屋の雰囲気を壊すことはない。また、窓、カ−テンの開閉は自由にできる。
【図面の簡単な説明】
【０００７】
【図１】  本発明の斜視図
【図２】  本発明の断面図
【図３】  本発明とカ−テンブラケツトの取付を示す斜視図
【図４】  本発明の使用状態を示す斜視図
【符号の説明】
【０００８】１      中空柱本体
２      挿入中空柱
３      孔
４      取付板
５      係止部
６      係止片
７      凹部
８      物干し竿
９      雌ねじ孔
１０    開口部
１１    カ−テンレ−ル、ブラケツト
１２    ブラケツト、ビス孔
１３    ビス
１４    カ−テンレ−ル
１５    カ−テン
【図１】
2010131344.tif 000003
【図２】
2010131344.tif 000004
【図３】
2010131344.tif 000005
【図４】
2010131344.tif 000006
(57)【要約】【課題】  本発明は、ポリエチレンフィルムを溶断シール加工し、バルーン内に空気を注入し、ガゼット部のシールの形状を換えることにより、安定して立たせることができるスタンディングバルーンを提供する。【解決手段】  バルーンに空気層１を設け、空気層１にシール接着部２、ガゼット部３、シール部４、シール部５、逆止弁６を設け、ガゼット部３にシール部４、シール部５を設け、シール部４、シール部５の形状を変えることによりバルーンに空気を注入した際に安定して立たせることを特徴とするスタンディングバルーン。【選択図】図１
2010131349.tif 000002
【特許請求の範囲】
【請求項１】
バルーンに空気層１を設け、空気層１にシール接着部２、ガゼット部３、シール部４、シール部５、逆止弁６を設け、ガゼット部３にシール部４、シール部５を設け、シール部４、シール部５の形状を変えることによりバルーンに空気を注入した際に安定して立たせることを特徴とするスタンディングバルーン。
【発明の詳細な説明】
【技術分野】
【０００１】  本発明は、ポリエチレンフィルムを溶断シール加工し、バルーン内に空気を注入し、ガゼット部のシールの形状を換えることにより、安定して立たせることができるスタンディングバルーンに関するものである。
【背景技術】
【０００２】  従来、ガゼットを入れたバルーンで立たせるには、底の部分に付属品の錘を取り付け、動かないようにテープなどで固定するのが主流であった。
この課題を解決する方法が望まれていた。【０００３】  この課題を解決する方法としてガゼット部分にシール部４、シール部５を直線でシールをする方法があるが直線にてシールを行った場合、空気を注入した際ガゼット部３の地面に対して、設置面が一部分しかなく安定して立たせることができなかった（特許文献１参照）。
【特許文献１】特開２００３−００００００号公報
【発明の開示】
【発明が解決しようとする課題】
【０００４】  解決しようとする問題点は、ガゼット部３のシールを曲線にすることにより、バルーンの底の部分に付属品の錘を付けたり、底の部分をテープで固定しなくても立たせることを可能にしたスタンディングバルーンを提供する。
【課題を解決するための手段】
【０００５】  課題を解決する手段として、バルーンに空気層１を設ける。
空気層１にシール接着部２、ガゼット部３、シール部４、シール部５、逆止弁６を設ける。
ガゼット部３にシール部４、シール部５を設け、シール部４、シール部５の形状を変えることにより、バルーンに空気を注入した際に安定して立たせることを特徴とする。
以上のように構成されたスタンディングバルーン。
【発明の効果】
【０００６】  以上説明した様にエアーを注入した際にガゼット部３の膨らむ部分にシール部４、シール部５を加えることによりバルーンとして立たせることが可能である。
シール部４、シール部５を曲線にすることにより、シール部４、シール部５が地面に対して全面が密着することが可能になるので、安定して立たせることができる。
【発明を実施するための最良の形態】
【０００７】  以下図を用いて本発明の実施の形態を説明する。
バルーンに空気層１を設け、空気層１にシール接着部２、ガゼット部３、シール部４、シール部５、逆止弁６を設ける。
ガゼット部３にシール部４、シール部５を設け、シール部４、シール部５の形状を変えることによりバルーンに空気を注入した際に安定して立たせることを特徴とする。【０００８】  図１は、本発明の平面図を表したものである。
本発明は、ポリエチレンのシートを用い、ガゼット部３にシール部４、シール部５を設ける。
シール部４、シール部５を曲線にすることにより、空気を注入した際、ガゼット部３の側面が地面に密着させることを目的とする。
【産業上の利用可能性】
【０００９】  本発明は、雑誌等の付録として用いられることが多く、軽量で安全に遊ぶことを考慮し、使用することが可能である。
【図面の簡単な説明】
【００１０】
【図１】本発明の平面図である。
【図２】本発明の側面図である。
【図３】本発明の斜視図である。
【図４】本発明の参考図である。
【符号の説明】
【００１１】  １  スタンディングバルーン
２  シール接着部
３  ガゼット部
４  シール部
５  シール部
６  逆止弁
【図１】
2010131349.tif 000003
【図２】
2010131349.tif 000004
【図３】
2010131349.tif 000005
【図４】
2010131349.tif 000006
(57)【要約】【課題】  人体表面を含む多様な対象物から、簡単に、周囲を汚染せず、指紋を採取する方法を提供する。【解決手段】  親油性と親水性を併せ持ったシートに指紋を転写して、検出液を塗布することを特徴とする。【選択図】図１
2010131347.tif 000002
【特許請求の範囲】
【請求項１】
親油性と親水性を併せ持つ転写媒体を用いて、固体表面から指紋を転写し、検出液体を塗布することにより、指紋を検出する方法。
【請求項２】
転写媒体としてセルロース混合エステル製メンブランフィルターを利用した請求項１に記載の方法。
【請求項３】
検出液体として、水、又は色素溶液を利用した請求項１に記載の方法。
【請求項４】
色素溶液としてトリフェニルメタン系色素溶液を用いた請求項３に記載の方法。
【発明の詳細な説明】
【技術分野】
【０００１】  この発明は、指紋検出方法に関するものである。
【背景技術】
【０００２】  犯罪の捜査と立証において、指紋が重要な証拠となることは広く知られている。犯罪捜査現場で広く用いられてきたのは、白色のアルミニウム微粉末を固体表面に静かに叩きつける方法である。一方、検出技術向上が有用な意味を持つことから、近年においても新しい提案が行われている。たとえば、特許公開２００２−２８１５２においては、脂質成分や蛋白質を、酵素や発色試薬で検出する方法が記載されている。しかし、これらの方法には、次に述べるような問題点が存在する。
先ず、アルミニウム微粉末を利用する方法では、白色の固体表面上の指紋検出が難しいこと、明瞭さが不十分であること、人の肌からは検出できないこと、粉末で周囲を汚染すること、などの問題点がある。
つぎに、特許公開２００２−２８１５２の方法では、試薬の組み合わせが複雑であり、機動性の面で優れているとは言えない。また、試薬を塗布するため、証拠物件の復旧という要請に十分応えられるとは言い難い。更に、検出対象物の性状によっては、界面活性剤や増粘剤を併用することが推奨されている。それは、例えば、撥水処理加工の紙類や布類の場合に界面活性剤を添加することであり、また、垂直面の指紋を検出する場合に増粘剤を添加することである。これらの事柄は、この方法が、現場での犯罪捜査活動において、使い勝手がいいとは言えないことを示している。
【発明の開示】
【発明が解決しようとする課題】
【０００３】  犯罪捜査現場においては、簡単な操作で、明瞭な指紋が検出されることが望まれている。各種検出方法によって、それぞれ適用できない対象物が存在するが、適用できない対象物が少ないことは、指紋検出方法選択の大きな要因である。
特に、従来の方法で困難であったのが、人体上の指紋の検出である。しかし、これが可能になれば、犯罪捜査に大きな進展をもたらすことが期待される。
したがって、人体表面を含む多様な対象物から指紋を、簡単に、周囲を汚染せずに、検出することは重要な課題である。
【課題を解決するための手段】
【０００４】  親油性と親水性を併せ持つシートを利用して、固体表面から指紋を転写し、検出液体を塗布することにより指紋を検出する。
【発明の効果】
【０００５】  親油性と親水性を併せ持つシート（以下、「転写シート」）を利用することにより、白色の固体表面上の指紋でも検出でき、アルミニウム微粉末で周囲を汚染することがなくなった。また、転写シートを固体表面に密着させることができるので、明瞭さが改善でき、人肌からの検出も可能となった。
更に、検出液の構成が簡単であるため、現場での使い勝手が改善された。
【発明を実施するための最良の形態】
【０００６】  転写シートとしてセルロース混合エステル製メンブランフィルターを用い、検出液としてトリフェニルメタン系色素を用いる。
検出操作としては、つぎのようにおこなう。
まず、転写シートを固体表面に密着させ、転写シートの裏側から押して指紋を転写する。次に、色素溶液を刷毛で転写面に塗布する。５〜１０分後に指紋が浮き上がってくるので、写真撮影などにより、データベースとの照合をおこなう。
なお、転写シートの形態は、円板状、ロール状、短冊状など任意の形状と大きさが適用可能である。また、検出液体を塗布する方法は、刷毛に限定されるものではなく、例えば、噴霧が適用可能である。更に、転写シートの保存は、ビニル袋に密閉するなどの方法が可能である。一方、色素溶液の代わりに水を塗布しても指紋が浮き上がってくるが、約１５分後に消失するという制限がある。
【実施例】
【０００７】  転写シートに指を押し当てて、直接、指紋を付着させたあと、検出液を塗布した結果を図１に示す。つぎに、実験台表面に付着した指紋を検出した結果を図２に、人体表面に付着した指紋を検出した結果を図３に示す。
【図面の簡単な説明】
【０００８】
【図１】転写シートに直接付着させた指紋の例である。
【図２】実験台表面に付着した指紋を検出した例である。
【図３】人体表面に付着した指紋を検出した例である。
【図１】
2010131347.tif 000003
【図２】
2010131347.tif 000004
【図３】
2010131347.tif 000005